(57)【特許請求の範囲】
【請求項１】
ボディとボディの開口を覆う拡散ステップが形成されたレンズとボディとレンズとの間に配設された管球とから成り、
上記ボディの管球に対応した箇所には開口部が形成され、
伝熱性が良好な材料で形成された遮熱板が上記開口部の半分以上を覆うように位置され、
上記遮熱板は波板状に形成されると共に、上記管球に対向した面が反射面にされた
ことを特徴とするルームランプ。
【請求項２】
上記ボディが合成樹脂で形成されると共に、上記遮熱板が金属で形成され、
遮熱板はインサート成形によりボディに一体的に形成された
ことを特徴とする請求項１に記載のルームランプ。
【発明の詳細な説明】
【０００１】
【発明の属する技術分野】
本発明は新規なルームランプに関する。詳しくは、ルームランプの放熱性を良好にする技術に関する。
【０００２】
【従来の技術】
従来、ルームランプａ、例えば、車輌用のルームランプは、図４に示すように、合成樹脂製の扁平なボディｂと、該ボディの開口を覆うレンズｃと、ボディｂとレンズｃとによって画成された灯室ｄ内に配設された光源バルブｅとによって構成されていた。
【０００３】
【発明が解決しようとする課題】
上記した従来のルームランプａにあっては、密閉空間である灯室ｄ内に熱がこもってしまうという問題がある。特に、ボディｂが扁平であるため、光源バルブｅとボディｂとの間が狭く、ボディｂの光源バルブｅに近接した部分の温度が高くなりすぎてしまうという問題がある。
【０００４】
そこで、図５に示すように、ボディｂの光源バルブｅに対応した部分に開口部ｆを形成して、該開口部ｆから灯室ｄ内の熱を外部に逃がすと言う問題が考えられる。
【０００５】
しかしながら、ボディｂの直ぐ後ろには天井等ルームランプａが取り付けられる部分の被覆材ｇが位置していて、該被覆材ｇが光源バルブｅの輻射熱に直接曝されると言う問題がある。そして、通常、被覆材ｇは、織布、不織布、皮革等耐熱性が高くない材料によって形成されているので、近距離で光源バルブｅの輻射熱に曝されるのは好ましいことではない。特に、光源バルブｅとして管球が使用された場合は、管球の発熱量が大きいので、天井等被覆材ｇを管球の輻射熱に曝すことは避けなければならない。
【０００６】
また、ボディｂに開口部ｆを形成すると、光源バルブｅの背面の反射光が利用できないので光量が減る。
【０００７】
そこで、本発明は、天井等の被覆材を光源の輻射熱に直接曝すこと無しに、ルームランプの放熱性を良好にすることを課題とする。
【０００８】
【課題を解決するための手段】
本発明ルームランプは、上記した課題を解決するために、ボディとボディの開口を覆う拡散ステップが形成されたレンズとボディとレンズとの間に配設された管球とから成り、上記ボディの管球に対応した箇所には開口部が形成され、伝熱性が良好な材料で形成された遮熱板が上記開口部の半分以上を覆うように位置され、上記遮熱板は波板状に形成されると共に、上記管球に対向した面が反射面にされたものである。
【０００９】
従って、本発明ルームランプにあっては、ボディに開口部が形成されているため、灯室内外の空気の流通が生じ、灯室内の温度上昇が抑制される。また、遮熱板は管球の後部に位置していて、管球からの輻射熱を遮断するので、ボディと天井等の被覆材が近接していても、被覆材が高温に曝されることがない。
また、遮熱板の管球に対向した面が反射面になっていてリフレクタの機能を有するので、管球の背面側に向かう光を遮熱板により反射して照明に利用することができ、照明のための光量が減ることがない。しかも、遮熱板は波板状に形成されているので、遮熱板によって反射された光は拡散され、レンズの全体が平均的に光輝するのに寄与する。そして、レンズに形成された拡散ステップにより拡散されて外部に照射される。
さらに、遮熱板は一旦蓄熱された熱を灯室外に放出することによっても、灯室内の温度上昇を抑制するものであるが、その遮熱板が波板状に形成されているので、遮熱板に蓄熱された熱を放出する際の放熱面積が増大し、放熱効果が増す。
【００１０】
【発明の実施の形態】
以下に、本発明ルームランプの実施の形態を添付図面を参照して説明する。なお、図示した実施の形態は、本発明を自動車の室内に設置される自動車用のルームランプに適用したものである。
【００１１】
ルームランプ１は合成樹脂製のボディ２を有している。ボディ２は、リフレクタ領域３とスイッチ領域４とを有し、これら２つの領域は隔壁５によって区画されている。
【００１２】
リフレクタ領域３の中央部には２つのほぼ矩形をした開口部６、６が並んで形成されている。これら開口部６、６の互いに対向した開口縁部には一対のコンタクト７、７、・・・が設けられており、互いに対を成すコンタクト７、７と７、７の間にそれぞれ管球８、８が支持されている。
【００１３】
上記開口部６、６には、上記コンタクト７、７、・・・が形成されていない開口縁間を架け渡すように、伝熱性が良好な金属板で波板状に形成された遮熱板９、９が設けられている。該遮熱板９、９の幅はコンタクト７、７、・・・が形成された一対の開口縁間の間隔よりやや小さく形成されており、そのため、コンタクト７、７、・・・が形成された開口縁と遮熱板９、９の開口縁との間には間隙１０、１０、・・・が形成されている。
【００１４】
上記遮熱板９、９は、いわゆるインサート成形によって、その両端部がボディ２内に埋設状に固定されているが、遮熱板９、９の固定方法がインサート成形に限るものでないことは勿論である。しかしながら、インサート成形によって固定すれば、ボディ２の成形と同時に遮熱板９、９の固定も為され、ボディ２と別部材として形成した遮熱板を後付により固定する場合に比較して組み付け工数が減少する。
【００１５】
リフレクタ領域３のうち、管球８、８が取り付けられた領域の両脇に連なる箇所には、上記管球８、８の一方のものを焦点とする円弧状の微細な放物面１１、１１、・・・が同心円状に形成されている。
【００１６】
上記リフレクタ領域３の内面はアルミ蒸着等の手段により反射処理が施され、ほぼ全体が反射面とされている。なお、リフレクタ領域３内面の反射処理は必須ではない。例えば、ボディ２の成形材料が白色、アイボリー、ベージュ等ある程度の光反射能を有する色彩のものであれば、反射処理を施さなくても、所望の反射光を得ることができる。
【００１７】
ボディ２の上記スイッチ領域４にはスイッチノブ１２、１３が配設されている。
【００１８】
上記ボディ２の前面側にはカバー体１４が取着される。カバー体１４は不透明な合成樹脂で形成されており、リフレクタ領域３に対応した部分には大きな開口１５が形成され、また、スイッチノブ１２、１３に対応した部分にはスイッチノブ挿通孔１６、１６が形成され、該スイッチノブ挿通孔１６、１６からは上記スイッチノブ１２、１３の一部が突出されている。
【００１９】
カバー体１４の上記大きな開口１５には合成樹脂で形成されたレンズ１７が取着されている。レンズ１６は乳白色をしており、その内面には拡散ステップ１８、１８、・・・が密集状に形成されている。
【００２０】
上記スイッチノブ１２は、３ポジションのシーソー型スイッチを操作するためのものであり、ＯＮ、ＯＦＦ、ＤＯＯＲの３つのポジションを有する。すなわち、ＯＮで上記管球８、８に通電可能な状態となり、ＯＦＦで管球８、８に通電不可の状態となり、ＤＯＯＲで図示しないドアが開かれることによって管球８、８に通電可能な状態になる。スイッチノブ１３は、押込方向にハイとローの２つのポジションを有する調光スイッチを操作するためのものであり、ハイで２個の管球８、８が点灯し、ローで上記円弧状放物面１１、１１、・・・の焦点位置にある管球８のみが点灯するようになっている。
【００２１】
そして、管球８、８が点灯すると、その光は直接又はリフレクタ領域３の内面で反射されてレンズ１７に照射され、レンズ１７に形成された拡散ステップ１８、１８、・・・によって拡散されて外部に照射される。また、遮熱板９、９はその表面が管球８、８からの光を反射するリフレクタの機能を有しており、且つ、波板状に形成されているので、該遮熱板９、９によって反射された光は拡散されることになり、レンズ１７の全体が平均的に光輝するのに寄与する。
【００２２】
上記した自動車用ルームランプ１にあっては、管球８及び／又は８が点灯すると、その点灯による熱はボディ２の開口部６、６と遮熱板９、９との間に設けられた間隙１０、１０、・・・から外部に放出され、そのため、灯室、すなわち、ボディ２とレンズ１７とによって画成された空間（灯室）内の温度が異常に高くなることが防止される。また、遮熱板９、９には管球８、８の輻射熱によって蓄熱されるが、遮熱板９、９に蓄熱された熱は遮熱板９、９の外面を介して空気中に放出される。特に、上記したように、遮熱板９、９を波板状に形成しておくと、放熱面積が増大し、放熱効果が向上する。さらに、管球８、８とルームランプ１が取り付けられる取付面との間には遮熱板９、９が位置しているため、該取付面に被覆されている被覆材が管球の輻射熱に直に曝されることがない。
【００２３】
なお、上記した実施の形態において示した各部の形状乃至構造は、何れも本発明を実施するに際して行う具体化のほんの一例を示したものに過ぎず、これらによって、本発明の技術的範囲が限定的に解釈されるようなことがあってはならないものである。
【００２４】
【発明の効果】
以上に記載したところから明らかなように、本発明ルームランプは、ボディとボディの開口を覆う拡散ステップが形成されたレンズとボディとレンズとの間に配設された管球とから成り、上記ボディの管球に対応した箇所には開口部が形成され、伝熱性が良好な材料で形成された遮熱板が上記開口部の半分以上を覆うように位置され、上記遮熱板は波板状に形成されると共に、上記管球に対向した面が反射面にされたことを特徴とする。
【００２５】
従って、本発明ルームランプにあっては、ボディに開口部が形成されているため、灯室内外の空気の流通が生じ、灯室内の温度上昇が抑制される。また、遮熱板は管球の後部に位置していて、管球からの輻射熱を遮断するので、ボディと天井等の被覆材が近接していても、被覆材が高温に曝されることがない。
また、遮熱板の管球に対向した面が反射面になっていてリフレクタの機能を有するので、管球の背面側に向かう光を遮熱板により反射して照明に利用することができ、照明のための光量が減ることがない。しかも、遮熱板は波板状に形成されているので、遮熱板によって反射された光は拡散され、レンズの全体が平均的に光輝するのに寄与する。そして、レンズに形成された拡散ステップにより拡散されて外部に照射される。
さらに、遮熱板は一旦蓄熱された熱を灯室外に放出することによっても、灯室内の温度上昇を抑制するものであるが、その遮熱板が波板状に形成されているので、遮熱板に蓄熱された熱を放出する際の放熱面積が増大し、放熱効果が増す。
【００２８】
請求項２に記載した発明にあっては、上記ボディが合成樹脂で形成されると共に、上記遮熱板が金属で形成され、遮熱板はインサート成形によりボディに一体的に形成されたので、製造コストの低減に寄与する。
【図面の簡単な説明】
【図１】図２及び図３と共に本発明ルームランプの実施の形態を示すものであり、本図は正面図である。
【図２】レンズを除去した状態の正面図である。
【図３】図２のＩＩ−ＩＩ線に沿う断面図である。
【図４】従来のルームランプの一例を示す断面図である。
【図５】比較例を示す断面図である。
【符号の説明】
１…ルームランプ、２…ボディ、６…開口部、８…管球、９…遮熱板、１７…レンズ、１８…拡散ステップ
【図１】
0003983959.tif 000002
【図２】
0003983959.tif 000003
【図３】
0003983959.tif 000004
【図４】
0003983959.tif 000005
【図５】
0003983959.tif 000006